(57)【要約】【課題】支柱とラチスとを溶接して方形の枠を作り、２箇の方形枠を対向させてビームで接続して直方体状の枠を作り、その枠内に中間棚板を支える中間ラチスを所望の位置に設置できるようにする。【解決手段】この発明は、中間ラチスとして支柱の内部に進入できる進入部と内接片を両端に備えたラチスを用意し、中間ラチスを方形枠の中に上下に移動可能に設置し、中間ビームの端と支柱と中間ラチスの内接片とをボルトで一体に固定して、中間棚板の支持体とする。【選択図】図４
2018079174.tif 000002
【特許請求の範囲】
【請求項１】
横断面がロの字状の中空体であって、かつ１つの平面に長手方向に貫通する隙間を備えた金属製長尺体からなる支柱を２本、隙間を内側に向けて対向させ、上端と下端とは何れも金属製ラチスを溶接して作った方形枠と、長尺体の両端に支柱への当接部を備えた金属製のビームと、ラチスの両端に支柱の隙間から支柱内へ進入する進入部と、その先に支柱内面に密接する内接片とを備えた金属製中間ラチスと、金属製棚板とからなる金属製ラックの組立部品一式。
【請求項２】
横断面がロの字状の中空体であって、かつ１つの平面に長手方向に貫通する隙間を備えた金属製長尺体を支柱とし、２本の支柱を隙間を内側に向けて対向させ、上端と下端とにそれぞれラチスを溶接して方形枠とし、２箇の方形枠を対向させ、その間をビームで接続して作った直方体状の枠において、別にラチスの長手方向の両端に支柱の隙間への進入部とその先に支柱内面への内接片とを備えた中間ラチスを用意し、中間ラチスを上記方形枠に入れ、内接片と進入部を支柱の隙間から支柱内に挿入し、他方、直方体状枠の外側からビームを当接して、ビームの当接部から支柱平面を通り中間ラチスの内接片へのボルトを通してこれらを一体とし、中間ラチスとビームとが作る水平枠上に中間棚板を乗せてなるラック。
【請求項３】
横断面がロの字状の中空体であって、かつ１つの平面に長手方向に貫通する隙間を備えた金属製長尺体からなる支柱を２本、隙間を内側に向けて対向させ、上端と下端とは何れも金属製ラチスを溶接して作った方形枠を材料とし、方形枠を２箇向き合わせて立設し、その上端と下端とにビームを固定して直方体状の枠を組み立てる方法において、別にラチスの両端に支柱の隙間への進入部と、その先に支柱内面への内接片とを備えた金属製中間ラチスを作り、上記直方体状の枠の中程の高さの支柱間に中間ビームをさしわたして、中間ビームの両端にある当接部を支柱に当接しておき、他方、上記中間ラチスを方形枠に入れ、進入部と内接片とを支柱の隙間から支柱内へ進入させ、中間ラチスを中間ビームと同じ高さに保持して、中間ビームの当接部から支柱平面を通り中間ラチスの内接片に達するボルトを通してこれらを一体にし、中間ラチスと中間ビームが作る水平枠に中間棚板を乗せてラックとすることを特徴とする、金属製ラックの組立方法。
【発明の詳細な説明】
【技術分野】
【０００１】
この発明は、金属製ラック、その組立部品一式及びその組立方法に関するものである。
【背景技術】
【０００２】
金属製ラックは、一般にスチール棚と云われているものである。金属製ラックは、工場などにおいて、原材料や製品や工具類などの物品を棚板上に乗せて置くのに使用される。乗せる物品の中には重量の大きな物品が多い。また、金属製ラックは、その下部にキャスターを付設して移動可能とされ、色々な物品を運搬するためのワゴンとしても使用される。
【０００３】
金属製ラックは、四面解放型とされる。四面解放型とは、どの方向からでも物品を棚上に乗せたり、また取り出したりすることができるように、棚板の周囲を囲わないで、解放した構造にしたものである。そのために、ラックは支柱と梁材とで直方体状の枠を作り、梁材上に棚板を乗せる構造とされた。この構造では、梁材は支柱と僅かな面で接触するだけとなり、その僅かな面で互いに強固に接続されて、支柱と梁材との間にはガタ付きがないようにしなければならない。
【０００４】
そのため、これまでの金属製ラックは、支柱と梁材とを溶接して直方体状の枠を作り、梁材上に棚板を乗せて作られてきた。しかし、溶接して直方体状の枠としたのでは、使用しないときに嵩を小さくすることができない。そのために貯蔵と運搬に不便であった。
この不便を解消するために、ラックの一部を組立式とすることが行われた。一部組立式のラックでは、支柱は単独の形で提供されないで、支柱を梁材と溶接して方形の枠として提供された。そして、方形の枠を２箇向き合わせて立設しておき、方形の枠間に別の梁材をさしわたして、直方体状の枠を組み立てることとされた。
【０００５】
一般に、直方体状の枠を作る梁材には長短がある。上述した方形の枠を作る場合には、梁材のうちの短い梁材が支柱に溶接される。一般に、短い梁材はラチスと呼ばれ、長い梁材はビームと呼ばれている。
図１は、従来の一部組立のラックの部品を一部切欠して示した斜視図である。
従来の一部組立式のラックでは、図１に示したように、支柱１は横断面がロの字状の中空体であって、かつ１つの平面に長手方向に貫通する隙間１９を備えた長尺体で作られた。また、ラチスも、ビームも、支柱１とは大きさは異なるが、支柱１と同様に横断面がロの字状の中空体で、かつ、１つの平面に長手方向に貫通する隙間を備えた長尺体で作られた。
【０００６】
従来の一部組立式のラックでは、前述のように支柱１はラチス２と溶接されて方形の枠Ａとして提供された。方形の枠Ａでは、２本の支柱１が隙間１９を内側に向けて向き合い、ラチス２は隙間を下に向けて支柱１の上端と下端とにさしわたされ、支柱１とラチス２の接触部分を溶接して作られた。
【０００７】
従来の一部組立式のラックは、上述の枠Ａを２箇対向させ、支柱１の間をビーム３で接続して直方体状の枠が作られた。接続するビームは図１に符号３で示したように、隙間を含む平面３１と、これに隣接する２つの平面３２と３４の両端を長手方向に垂直に切断して端面３８を形成するとともに、平面３３の両端を突出させて、突出部を支柱１への当接部３５とされた。
【０００８】
また、ビーム３は支柱１への接続を容易にするために、当接部３５の先を平面３１側へ曲げて挿入片３６が付設され、また、当接部３５にボルト挿通孔３９が穿設された。
上述のビーム３の形態に対応して、支柱１には上端と下端とに、場合によってはその中間に長手方向に延びる細隙１１が穿設されて、ビーム３の挿入片３６を受け入れるようにされた、また、ボルト挿通孔１７を穿設して、ビーム３のボルト挿通孔３９と合わせて、ボルトによる接続を容易にされた。
【０００９】
ラックを組み立てるには、２箇の方形枠を向き合わせて立てておき、支柱１の上端同士と下端同士の間にビーム３をさしわたし、ビーム３の挿入片３６を支柱１の細隙１１へ挿入するとともに、ボルト挿通孔３９と１７へボルトを通して、ビーム３を枠Ａに固定して直方体状の枠とされた。その後、ラチス２とビーム３が作る水平枠に棚板５を乗せてラックとされた。
【００１０】
こうして作ったラックは、また新たに不便を生じた。不便は、ラックの天板と底板との間に中間棚板を設ける場合に、中間棚板の取付位置を上下に変えることができない、という点にあった。なぜならば、一部組立式のラックでは、中間棚板を設ける場合には、図１の方形枠Ａ内に点線で示した位置に、中間棚板を支えるラチス４をラチス２と並べて支柱１に溶接して固定してしまうからである。このため、ラックを組み立てたあとでは、中間棚板の位置を変えることができなくなる。従って、ラック上に物品を思うように効率よく乗せることができなくなる。このことはラックの使用上甚だ不便なことである。
【発明の概要】
【発明が解決しようとする課題】
【００１１】
この発明は、一部組立式のラックにおいて生じた上述の不便を解消しようとして生れたものである。すなわち、この発明は、支柱とラチスとを溶接して方形枠を作り、２箇の方形枠を向き合わせ、その間にビームをさしわたして方形枠を接続し、直方体状の枠を組み立てラチスとビームで作り、水平枠上に棚板を乗せて作るラックにおいて、中間棚板を上下に変位可能に設置できるようにすることを課題とする。
【課題を解決するための手段】
【００１２】
この発明者は、上記の課題を解決するために、中間棚板を支えるためのラチスを新たに作った。
新たに作ったラチスは、図２に示したように、長尺体６０の長手方向の両端に、支柱の隙間への進入部６１と、その先に支柱内面への内接片６２とを付設した構造のものである。長尺体６０は、これまで用いられてきたラチス２に相当する部分であるから、新たに作ったラチス６は、従来のラチスの両端に進入部６１と内接片６２とを付設したものと云ってもよい。内接片６２にはボルト挿通孔６３を穿設しておくことが好ましい。
【００１３】
新たに作ったラチス６は、方形枠Ａの中に入ると、内接片６２と進入部６１とを支柱１の隙間１９から支柱内へ進入させて、方形枠Ａから飛び出ることができず、枠Ａ内を上下に移動することができる。従って、ラチス６は、枠Ａ内の希望する高さのところに停止させることができる。
【００１４】
他方、この発明ではビーム３を接続する各支柱の平面には図４に示したように、予め支柱の中間に複数段にわたって同じ高さのところに、細隙１１を穿設しておく。また、各細隙１１に対応してボルト挿通孔１７を穿設しておく。直方体状の枠を組み立てたあとで、上記細隙１１のうち望ましい高さにある細隙１１にビーム３の挿入片３６を挿入して、中間ビーム３を直方体状の枠に係止しておく。
【００１５】
この状態で、枠Ａ内に入れた中間ラチス６を中間ビーム３と同じ高さに揃える。すると、内接片６２は支柱平面を挟んでビーム３の当接部３５と向き合うことになる。そこで、ビーム３のボルト挿通孔３９にボルトを通し、通したボルトが支柱平面を貫通して、中間ラチス６のボルト挿通孔６３に届くようにし、ボルトの先にナットを嵌めて、これらを一体にする。こうして、ボルトにより中間ビーム３と中間ラチス６とを一挙に支柱１に固定する。
【００１６】
こうして固定されたビーム３と中間ラチス６とは直方体状の枠内の希望する高さのところに固定された。従って、ビーム３と中間ラチス６とが構成する水平枠に棚板を設置することにより、希望する高さに中間棚板を設置することができる。
この発明は、このようにして、中間棚板を設置することを骨子とする。
この発明は、中間棚板の取付位置を上下に変えることのできる一部組立式のラックを提供するものであり、また一部組立式ラックの組立用部品一式を提供するものであり、さらに一部組立式ラックの組立方法をも提供するものである。
【００１７】
そのうちの金属製ラックに関する発明は、横断面がロの字状の中空体であって、かつ１つの平面に長手方向に貫通する隙間を備えた金属製長尺体を支柱とし、２本の支柱の隙間を内側に向けて対向させ、上端と下端とにそれぞれラチスを溶接して方形枠とし、２箇の方形枠を対向させ、その間をビームで接続して作った直方体状の枠において、ラチスの長手方向の両端に支柱の隙間への進入部と、その先に支柱内面への内接片とを備えた中間ラチスを用意し、中間ラチスを上記方形枠に入れ、内接片と進入部を支柱の隙間から支柱内に挿入し、他方、直方体状枠の外側からビームを当接して、ビームを上記中間ラチスと同じ高さにし、ビームの当接部から支柱平面を通り中間ラチスの内接片へボルトを通して一体とし、中間ラチスとビームとの作る水平枠上に棚板を乗せて作られたラックである。
【００１８】
組立部品一式に関する発明は、横断面がロの字状の中空体であって、かつ１つの平面に長手方向に貫通する隙間を備えた金属製長尺体からなる支柱を、２本隙間を内側に向けて対向させ、上端と下端とは何れも金属製ラチスを溶接して作った方形枠と、長尺体の両端に支柱への当接部を備えた金属製のビームと、ラチスの両端に支柱の隙間から支柱内へ進入する進入部及びその先に支柱内面に密接する内接片とを備えた金属製中間ラチスと、金属製棚板とからなる金属製ラックの組立部品一式である。
【００１９】
組立方法の発明は、横断面がロの字状の中空体であって、かつ１つの平面に長手方向に貫通する隙間を備えた金属製長尺体からなる支柱を２本、隙間を内側に向けて対向させ、上端と下端とに何れも金属製ラチスを溶接して作った方形枠を材料とし、方形枠を２箇向き合わせて立設し、その上端と下端とにビームを固定して直方体状の枠を組み立てる方法において、別に上記ラチスの両端に支柱の隙間への進入部と、その先に支柱内面への内接片とを備えた金属製中間ラチスを作り、上記直方体状の枠の中程の高さの支柱間に中間ビームをさしわたして、中間ビームの両端にある当接部を支柱に当接しておき、他方、上記中間ラチスを方形枠に入れ、進入部と内接片とを支柱の隙間から支柱内へ進入させ、中間ラチスを中間ビームと同じ高さに維持して、中間ビームの当接部から支柱平面を通り中間ラチスの内接片に達するボルトを通してこれらを一体にし、中間ラチスと中間ビームが作る水平枠に中間棚板を乗せてラックとすることを特徴とする金属製ラックの組立方法である。
【発明の効果】
【００２０】
従来の一部組立式のラック組立法によれば、直方体状の枠を組み立てたあとで、直方体状枠の外側から中間ビームをさしわたし固定して、中間棚板を支える支持体としてきた。この発明は、従来法をそのまま踏襲して、中間ビームを設けてこれを中間棚板と支持体とする。
【００２１】
この発明では、中間ラチスを新たに作る。中間ラチスは、従来のラチスの両端に支柱の隙間から支柱内へ進入する進入部と、その先に支柱内面に密接する内接片とを備えたものである。そのため、中間ラチスを方形枠の中へ入れると、中間ラチスは方形枠を構成する支柱の隙間から内接片と進入部を支柱内へ進入させて、方形枠に係止される。しかも、中間ラチスは方形枠の中を上下に移動することができる。そのため、中間ラチスは直方体枠において方形枠の希望する高さに位置させることができる。
【００２２】
他方、中間ビームは上述の従来法によって直方体状枠の外側から支柱間にさしわたし、中間ビームの両端にある当接部を支柱に当接させておく。中間ラチスは、方形枠の中を上下に移動できるから、中間ラチスの高さを中間ビームの高さに揃える。
すると、中間ビームの当接部は支柱平面を挟んで中間ラチスの内接片と向き合っている状態となる。この状態で中間ビームの当接部から支柱平面を通り中間ラチスの内接片に至るボルトを通し、ナットで締め付けると、これらを一挙に一体にすることができる。すなわち、中間ビームと中間ラチスとを支柱に一挙に固定することができる。
【００２３】
こうして固定した中間ビームと中間ラチスは水平枠を構成する。この水平枠は、棚板を乗せて、中間棚板とすることができる。
こうして、この発明によれば、直方体状枠の希望する高さのところに中間棚板を付設することができる。
【００２４】
また、付設した中間棚板は、これを直方体状枠から取り出し、ボルトを外せば、中間ビームと中間ラチスとを直方体状枠から取り出すことができる。取り出した中間ビームと中間ラチスとは、これをまた支柱の別の高さに位置させ、ボルトで締め付けて別の高さのところに固定することができる。従って、中間棚板を支える中間ビームと中間ラチスは、直方体状枠の中で上下に位置を変えることができる。その結果中間棚板上に物品を思うように効率よく乗せることができる。
この発明は、このような効果をもたらすものである。
【図面の簡単な説明】
【００２５】
【図１】図１は、従来の一部組立式ラックの部品を一部切欠して示した斜視図である。
【図２】図２は、この発明で用いる中間ラチスの一部切欠斜視図である。
【図３】図３は、この発明で用いる中間ビームの一部切欠斜視図である。
【図４】図４は、この発明方法で組み立てられるラックの一部切欠斜視図である。
【図５】図５は、この発明で用いる中間棚板の一部切欠斜視図である。
【図６】図６は、この発明に係る金属製ラックの斜視図である。
【図７】図７は、図６におけるVII−VII線断面図である。
【発明を実施するための形態】
【００２６】
この発明で用いる支柱１は、帯状金属板を折曲して横断面がロの字状の中空体を作るとき、帯状金属板の２つの側縁をつき合わせにしたり重なり合ったりさせないで、その間に隙間ができるように作られる。ラチスも、ビームも同様に、帯状金属板を折曲して作られるが、支柱とは違った構造にされる。
【００２７】
この発明では、図４に示したように、支柱１を２本、隙間１９を内側に向けて対向させ、その上端と下端とにそれぞれ金属製ラチス２を溶接して方形の枠Ａを作る。ラチス２としては支柱と同じように隙間のある長尺体を用いることもできるが、また隙間のない長尺体を用いることもできる。隙間のある長尺体を用いるときは、隙間を下方に向けて支柱に溶接する。
【００２８】
こうして作った方形の枠Ａでは、支柱１の隙間１９と向き合う平面１０に、長手方向に延びる細隙１１を多数穿設する。細隙１１は１つの支柱では上端と下端と、さらにその中間に複数箇穿設する。また、１つの支柱では、細隙１１は直方体状枠のかどを形成する稜線１８寄りの位置に、一直線に並んで穿設する。また、細隙１１は、異なった支柱の間では、同じ高さの位置に複数段にわたって穿設する。
【００２９】
また、方形枠Ａでは平面１０に細隙１１ごとにボルト挿通孔１７を穿設する。ボルト挿通孔１７は、細隙１１よりも稜線１８から遠ざかった位置に穿設する。
この発明で用いる中間ラチス６は、図２に示すように、長尺体６０の長手方向の両端に進入部６１と、その先を垂直に折曲した内接片６２とを備えている。長尺体６０はラチス２と同じ長さを持ち隙間６９を持った部分であって、中間ラチス６は、従来のラチス２に進入部６１と内接片６２とを付設したものだ、と云うことができる。進入部６１は支柱１の隙間１９から支柱の空洞内へ進入できる部分であり、内接片６２は、中間ラチス６が枠Ａ内へ入れられて、長尺体６０がラチス２と平行になったとき、支柱１の内面に密接する部分である。
【００３０】
この発明で用いるビームは、図１の符号３で示した構造のものであってもよいが、図３で示した構造のものが好ましい。図１に示したビーム３は、支柱１と同じく隙間のある横断面ロの字状の長尺体で作られているが、図３のビーム３は、隙間の部分に横断面がＬ字状の受片３７が付設されている。
【００３１】
詳述すれば、図３のビーム３は、帯状金属板を折曲して横断面がロの字状の中空体を作る際に、帯状金属板の２つの側縁領域を一時的に重ね合わせることにし、二重になった部分のうち、外側に位置する側縁領域を外側へ横断面がＬ字状になるように折曲して、受片３７を形成したものである。受片３７は、ビーム３の長手方向の撓みを少なくし、棚板の側縁を受け入れるに役立つものである。
【００３２】
また、図３のビーム３は、横断面がロの字状の長尺体において、受片３７を設けた平面３１と、これに隣接する２つの平面３２と３４の合計３つの平面の長手方向の両端を、長手方向に垂直な平面で切断して端面３８を形成するとともに、残る平面３３の両端を突出させて、支柱１への当接部３５を形成して作られている。さらに、当接部３５の先を垂直に受片３７がわに折曲して、挿入片３６を形成して作られている。また、当接部３５にはボルト挿通孔３９が穿設されている。
【００３３】
この発明では、上述の方形枠Ａを２箇一組として、これを出発材料とする。２箇の方形枠Ａは、細隙１１とボルト挿通孔１７との配置が左右対称となっている。
この発明では、図４に示したように、上述の２箇の方形枠Ａを向き合わせて立設する。このとき、各枠Ａは稜線１８が外側にくるように配置する。云いかえると、各枠Ａでは細隙１１がボルト挿通孔１７よりも外側にくるように配置する。
【００３４】
次いで、２箇の方形枠Ａの上端と下端とにビーム３をさしわたし、ビーム３の挿入片３６を支柱細隙１１に挿入して、ビーム３を支柱１にボルト８で固定して直方体状の枠を作る。このとき、ビーム３は、３つの平面を切断して生じた端面３８を支柱１の側面に密着させる。こうして、ビーム３が挿入片３６と端面３８とで支柱１の一部を挟んで、直方体状枠がガタ付かないようにすることができる。
【００３５】
こうして作った直方体状の枠に、この発明では中間棚板を支えるためのビームを付設する。この発明では、各支柱の中程に複数段にわたって細隙１１を穿設したから、そのうちの適当な高さにある細隙１１を選んで、そこに挿入片３６を挿入してビームを支柱１に係止させる。
【００３６】
次いで、この発明では、直方体状の枠を構成している方形枠Ａに、図３に示した中間ラチス６を入れる。中間ラチス６は、従来のラチス２よりも長手方向に長いから、図４に示したように中間ラチス６を斜めに保持して枠Ａに入れる。次いで中間ラチス６は長手方向を徐々にラチス２と平行になるように近づけ、両端にある内接片６２を支柱１の隙間１９から支柱１の中へ入れ、次いで進入部６１を支柱１の内部へ入れる。
【００３７】
中間ラチス６がラチス２と平行になると、中間ラチス６の内接片６２が支柱１の内面に密接する。この状態では、中間ラチス６は進入部６１を支柱１の空洞内に進入させているから、支柱１に係止されて方形枠Ａから外れることなく、方形枠Ａ内を上下に移動できる。
そこで、中間ラチス６の高さをビーム３の高さに合わせる。すると、中間ラチス６の内接片６２が支柱１の平面を挟んで、ビーム３の当接部３１と向き合っている状態となる。この状態で当接部３５のボルト挿通孔からボルトを挿入し、支柱１の平面に穿設したボルト挿通孔１７を通って、内接片６２のボルト挿通孔６３に通し、ナットを付設してボルトを締めると、ビーム３と中間ラチス６とを一挙に支柱１に固定することができる。こうして、ビーム３と中間ラチス６とで中間棚板を支える水平枠を形成する。
【００３８】
その後、ビーム３と中間ラチス６とが作る水平枠上に棚板を乗せて、図６に示したようなこの発明に係るラックとする。
中間棚板としては、ビーム３とラチス６とで作る方形枠の上に乗せることができる平板状の棚板であれば、どのような形状のものでもよい。しかし、好ましいのは、図５に示したように、長方形の基板７１の長辺に沿って直立する側壁７２を付設し、さらに側壁７２の先に内側へ折曲して補強辺７３を付設して、全体として横断面がＬ字状の補強体を形成した棚板である。
【００３９】
図５に示した構造の棚板７は、図３に示したビーム３の受片３７内に補強辺７３を落とし込んでビーム３の間に容易に乗せることができる。こうして棚板７を乗せると、図７に示したように、ビーム３は、横断面がＬ字状の受片３７によって長手方向に撓み難いものとなっており、さらに棚板７も側壁７２と補強片７３とからなる補強体によって長辺方向に撓み難いものとなっているから、中間棚板は全体として長辺方向に極めて撓み難いものとなり、重量物を載せても撓みが少ないものとなる。また、棚板７の補強体はビーム３の受片３７によって隙間のないように支持されているから、両者の間には全くガタ付きのないようにすることができる。従って、ラックは全体としてガタ付きのないものとなる。
【００４０】
なお、図５に示した棚板は必要ならば短辺にも側壁７２と補強片７３を設けることができる。但し、この場合には、ラチス６が内側に、ビーム３の受片３７のような受片を備えていることが必要である。
また、図５に示した構造の棚板は中間棚板だけでなく、天板と底板にも用いることができる。
【００４１】
この発明では、中間ビーム３と中間ラチス６とにより構成した水平枠は、ボルトを外せば中間ビーム３と中間ラチス６とを直方体状の枠から外すことができる。外した中間ビーム３は支柱１の別の高さにある細隙１１に挿入片３６を挿入して、支柱１に係止させることができる。そして係止させた高さのところに外した中間ラチス６を付設し、ボルトにより中間ビーム３と中間ラチス６とを支柱１に固定すれば、別の高さのところに中間棚板を支える水平枠を構成することができる。従って、この発明によれば、中間棚板の位置を上下に容易に変更することができる。この点で、この発明に係るラックは実用上の価値が大きい。
【符号の説明】
【００４２】
１    支柱
２    従来のラチス
３    この発明で用いるビーム
４    従来の中間ラチス
５    棚板
６    この発明で用いる中間ラチス
７    棚板
８    ボルト
１０    支柱１の平面
１１    支柱１に穿設した細隙
１７    ボルト挿通孔
１８    支柱１のかど（稜線）
１９    支柱１の隙間
３０    長尺体
３１、３２、３３、３４    支柱１を構成する平面
３５    ビーム３の当接部
３６    ビーム３の挿入片
３７    ビーム３の受片
３８    平面３１、３２、３４の切断面
３９    ビーム３のボルト挿通孔
６０    中間ラチスを構成する長尺体
６１    進入部
６２    内接片
６３    ボルト挿通孔
６９    隙間
７１    棚板７の基板
７２    棚板７の側壁
７３    棚板７の補強片
【図１】
2018079174.tif 000003
【図２】
2018079174.tif 000004
【図３】
2018079174.tif 000005
【図４】
2018079174.tif 000006
【図５】
2018079174.tif 000007
【図６】
2018079174.tif 000008
【図７】
2018079174.tif 000009